(57)【要約】【課題】電磁力はラブが自転し更に公転しその周囲を光子が回転することによってできる。各元素においてどれだけの光子が回転しているか。放射性元素はどうして光子を放射するのか。【解決手段】電子ニュートリノはＨｅができた場で発生する。そのメカニズムを考え、太陽の中で光子はどのように放出するか考えた。原子はエネルギー密度を高くすることによってできる。Ｈｅのエネルギー密度は約４である。Ｈｅの電子ができた軌道は電子ニュートリノができた軌道である。これで、元素のエネルギー密度と元素ができた軌道の関係がわかる。そして原子量から元素ができた軌道の光子がどれだけ付加したかが解る。この付加した光子がラブの周囲を回転することによって電磁力はできる。各元素の電子の質量エネルギーは異なる。各元素の陽子と中性子の質量エネルギーは異なる。【選択図】　　　　図５
2004032981.tif 000002
【特許請求の範囲】
【請求項１】
ラブが公転し、ラブの周囲の光子が回転することによって、電磁力はできる。ラブは鉄芯、光子はコイルに流れる電子のように作用し、電磁力ができる。
【請求項２】
原子核にたくさんの陽子と中性子が存在でき、かつ原子核の大きさが一定であるのはどうしてか。
原子核の大きさの２分の１の大きさがラブの公転する軌道であるからです。ラブは原子核の２分の１の軌道を陽子、中性子、陽子、中性子と交互に並んで公転しています。それで、軌道の中にはどれだけたくさんのラブでも存在できます。ラブはとっても小さいのでたくさんのラブがその軌道に並べます。それで陽子の数と中性子の数は同じです。
【請求項３】
原子番号（原子量）の大きい元素ほど原子核でできる電磁力は大きい。
電磁力はラブの個数に比例します。そして、電磁力は光子の数に比例します。
それで、電磁力は原子番号の大きいほど大きいです。電磁力は原子量の大きいほど大きいです。
【請求項４】
エネルギー（光子）はどのようなメカニズムで発生するか。光子には自分のエネルギーと軌道がある。もし、そこの場の軌道が自分の軌道より小さかったら、自分の軌道が存在しない場であるなら、その場には光子は存在できない。それで光子は排斥される。この現象が光子の放出であり、光子（エネルギー）の発生です。
【請求項５】
電子ニュートリノはどのようなメカニズムで発生するか。
電子の中で光子は回転している。太陽の中では、中央になるに従いエネルギーは高くなり軌道は小さくなる。軌道が小さくなると、その小さな軌道より大きな軌道の光子は居る場（軌道）が無くなるので放出する。太陽の核融合反応の行われる場（軌道）は電子ニュートリノの軌道より小さい。それで、電子ニュートリノは放出する。電子ニュートリノのエネルギーは５．１ｅＶより小さい。５．１ｅＶのエネルギーは５．１ｅＶ＝５．１×１．６×１０−１９Ｊ＝８．１６×１０−１９Ｊであり、軌道は１．１×１０−４１Ｊ÷（８．１６×１０−１９Ｊ）＝０．１３４８×１０−２２ｍ≒１．３５×１０−２３ｍです。電子ニュートリノの軌道は１．３５×１０−２３ｍより大きい。核融合反応の行われた軌道は１．３５×１０−２３ｍより小さい。それで、電子ニュートリノは居る場（軌道）が無いので放出する。
【請求項６】
太陽から放出されるエネルギー（光子）はどのような光子か。
太陽は中央になるに従いエネルギーが高くなり、軌道は小さくなる。エネルギーが高く軌道が小さい場では、それよりエネルギーが低く、軌道の大きな光子はそこに居る事はできない。それで放出する。この放出した光子が太陽からやってくる光子です。
【請求項７】
各々の元素ができる軌道とエネルギーはどれだけか。
元素はエネルギー密度を増してできる。初め、水素１．００７９４であった。それがエネルギー密度を増した。エネルギー密度は原子量÷１．００７９４です。Ｈｅができた軌道は電子ニュートリノができた軌道です。
電子ニュートリノのエネルギーは０．５１ｅＶより小さいので、電子ニュートリノの軌道は、１．１×１０−４１Ｊ÷（０．５１×１．６×１０−１９Ｊ）≒１．３５×１０−２３ｍより大きい。
電子ニュートリノができた軌道は１．３５×１０−２３ｍより小さい。
Ｈｅは１．３５×１０−２３ｍの軌道でできました。Ｈｅのエネルギー密度は４．００２÷１．００７９４≒４です。
エネルギー密度が４の元素は１．３５×１０−２３ｍの軌道でできる。
エネルギー密度がＡである元素はどの軌道でできるか。
４÷Ａ×１．３５×１０−２３ｍ＝５．４÷Ａ×１０−２３ｍの軌道でできる。Ａ＝原子量÷１．００７９４ですから、元素ができる軌道は
５．４÷（原子量÷１．００７９４）×１０−２３ｍ＝５．４４２８７÷原子量×１０−２３ｍです。
原子量がＢである元素は５．４４２８７÷Ｂ×１０−２３ｍの軌道でできます。この軌道のエネルギーは１．１×１０−４１Ｊ÷（５．４４２８７÷Ｂ×１０−２３ｍ）＝２．０２１×Ｂ×１０−１９Ｊです。
【請求項８】
各々の元素ができる軌道において、電子、陽子、中性子にどれだけの光子が付加されているか。
元素ができる軌道は電子の軌道です。元素ができる軌道の光子は電子に付加します。
電子に付加する光子のエネルギー＝元素ができた軌道のエネルギー。
電子に付加する光子の数をＣ個とします。
陽子に付加する光子のエネルギーは、電子に付加する光子のエネルギーの（９８３＋０．５）÷０．５＝１８７７倍です。
陽子に付加する光子の数を電子に付加する光子の数の３倍とします。
そうしますと、
電子のエネルギー＝電子のラブのエネルギー＋電子に付加する光子のエネルギー×Ｃ
陽子のエネルギー（＝中性子のエネルギー）＝陽子のラブのエネルギー＋陽子に付加する光子のエネルギー×３Ｃ＝陽子のラブのエネルギー＋電子に付加する光子のエネルギー×１８７７×３Ｃ　です。
電子のエネルギー＋陽子のエネルギー＋中性子のエネルギー＝電子のラブのエネルギー＋電子に付加する光子のエネルギー×Ｃ＋２×（陽子のラブのエネルギー＋陽子に付加する光子のエネルギー×３Ｃ）＝８×１０−１４Ｊ＋２×１．５×１０−１０Ｊ＋元素ができた軌道のエネルギー×Ｃ＋２×元素ができた軌道のエネルギー×１８７７×３Ｃ＝３０００．８×１０−１３Ｊ＋元素ができた軌道のエネルギー×１１２６３×Ｃ＝３０００．８×１０−１３Ｊ＋２．０２１×Ｂ×１０−１９Ｊ×１１２６３×Ｃ＝３０００．８×１０−１３Ｊ＋２２７６２．５２３×Ｂ×１０−１９Ｊ×Ｃ
水素は１電子＋１陽子で、０．５ＭｅＶ＋９３８ＭｅＶ＝９３８．５ＭｅＶ＝９３８．５×１．６×１０−１３Ｊ＝１５０１．６×１０−１３Ｊです。
水素は１５０１．６×１０−１３Ｊで原子量は１．００７９４ですから原子量１は１５０１．６×１０−１３Ｊ÷１．００７９４＝１４８９．７７×１０−１３Ｊです。
原子量×１４８９．７７×１０−１３Ｊ÷原子番号＝電子のエネルギー＋陽子のエネルギー＋中性子のエネルギー＝３０００．８×１０−１３Ｊ＋２２７６２．５２３×Ｂ×１０−１９Ｊ×ＣＣ＝（原子量×１４８９．７７×１０−１３Ｊ÷原子番号−３０００．８×１０−１３Ｊ）÷（２２７６２．５２３×原子量×１０−１９Ｊ）です。
【請求項９】
請求項８で得たデーターから理解できる事は、
１．付加した光子の数はほとんど同じである。
２．付加した光子の総エネルギーは巨大星の中央ほど多くなっている。
３．原子番号の大きい元素ほど付加した光子のエネルギーは大きい。
４．これらの元素ができる軌道で付加した光子がラブの周囲を回転して電磁力を作っている。
５．元素ができる軌道において減少した光子はニュートリノとなる。電子から減少した光子は電子ニュートリノである。陽子から減少した光子は陽子ニュートリノ（本発明者が名づけた）である。即ち、Ｈｅの場合、Ｈｅができた軌道で、電子から１．３６×１０−２３ｍの軌道の光子が２１２個減少した。この減少した光子が電子ニュートリノである。電子ニュートリノは２１２個できた。陽子から７．２４×１０−２７ｍの軌道の光子が６３６個減少した。この減少した光子が陽子ニュートリノである。陽子ニュートリノは６３６個できた。
６．ＬｉとＢｅに付加した光子エネルギーが多いのは、Ｈｅができた時に発生した光子が付加したからです。
７．ＴｈとＵが放射性元素であるのは元素ができた時多量の光子を付加したので、付加した光子を放散している。
８．各元素の電子の質量エネルギーは異なる。
９．各元素の陽子、中性子の質量エネルギーは異なる。
【請求項１０】
電子の構造は中央にラブがあり、次に元素ができた軌道で付加した光子が回転し、次に連続Ｘ線が回転し、連続Ｘ線の範囲の中で特性Ｘ線が回転している。
【請求項１１】
陽子の構造は中央にラブがあり、次に元素ができた陽子の軌道で付加した光子が回転し、その周囲を更に光子が回転している。
【発明の詳細な説明】
【０００１】
【発明の属する技術分野】
本発明は素粒子に関する。
【０００２】
【従来の技術】
従来、原子量は原子番号の大きい物程付加するエネルギーが多い。これは中性子が加わるためであると考えられている。太陽のエネルギーは核融合反応によってできると考えられている。電磁力の発生するメカニズムは解らない。
【０００３】
【発明が解決鐘とする課題】
１、　電磁力はラブが自転し公転し、更に光子がラブの周囲を回転することによって発生する。ラブの周囲にはどれだけの光子が存在するのか。
２、　原子核の中にたくさんの陽子、中性子が存在できるのはどうしてか。
３、　原子核でできる電磁力と原子番号（原子量）の関係はどうなっているか。
４、　エネルギー（光子）はどのようなメカニズムで発生するか。
５、　電子ニュートリノはどのようなメカニズムで発生するか。
６、　太陽から光子はどのように放出するか。
７、　各々の元素ができた軌道とエネルギーはどのようであるか。
８、　元素ができる軌道において、どれだけの光子が付加されたか。
９、　８で得たデーターからどのような事が理解できるか。
１０、電子の構造はどのように成っているか。
１１、陽子の構造はどのようになっているか。
【０００４】
【課題を解決するための手段】
上記課題を解決するために、本発明者は電子ニュートリノができる軌道をＨｅができる軌道とした。元素はエネルギー密度を高くすることによってできるので、初め水素で１．００７９４であった物が、次々電子、陽子、中性子が加わり、密度を増加させて元素はできたので、水素を基準にし、エネルギー密度を　原子量÷１．００７９４とした。陽子に付加した光子の数を電子に付加した光子の数の３倍とした。
【０００５】
【発明の実施態様】
１、　電磁力はラブが自転し公転し、更に光子がラブを中心に回転することによってできる。即ち、ラブは鉄芯であり、光子はコイルの中を走る電子である。これで電磁力はできる。
【図１】
２、　原子核の大きさはほぼ一定なのに、たくさんの陽子と光子が存在できるのはどうしてか。
原子核の大きさの２分の１がラブの公転軌道である。陽子のラブと中性子のラブは交互に並んでその軌道を公転している。ラブはとっても小さいものなのでいくらでも軌道の中に存在できる。１００個でも２００個でも存在できる。
それで、陽子の数と中性子の数は同じである。
【図２】
３、　原子核でできる電磁力と原子番号（原子量）の関係はどのようであるか。電磁力はラブの個数に比例し、光子の数に比例する。それで、電磁力は原子番号に比例し、原子量に比例する。
４、　エネルギー（光子）はどのように発生するか。
光子は自分の軌道を持つ。自分のエネルギーに合った軌道を持つ。もしその場の軌道が自分の軌道より小さかったら光子はそこに存在できない。自分の軌道が存在しないからです。それで光子はそこを逃げる。この現象が光子の放出であり、光子（エネルギー）の発生です。
５、　電子ニュートリノはどうして発生するか。
電子ニュートリノのエネルギーは５．１ｅｖより小さい。この軌道はどれ位か。
１．１×１０−４１Ｊ÷（５．１×１．６×１０−１９Ｊ）＝１．３４８×１０−２３ｍ　約１．３５×１０−２３ｍです。
電子ニュートリノのエネルギーは５．１ｅｖより小さいのですから、軌道は１．３５×１０−２３ｍより大きい。軌道が１．３５×１０−２３ｍより小さな場（軌道）において、１．３５×１０−２３ｍより大きな軌道は存在しない。それで、電子ニュートリノは電子から放出する。
【図３】
６、　太陽からの光子放出はどのようになっているか。
太陽は中央になるに従いエネルギーは高くなり軌道は小さくなる。
例えば太陽の外側で１００万度の場合、そこの軌道は地球のエネルギーの１００００００度÷２５度＝４００００　　４万倍です。電子の軌道は地球では１０−１０ｍですから、太陽の外側では電子の軌道は１０−１０ｍ÷４００００＝２．５×１０−１５ｍ　２．５×１０−１５ｍです。
それで、１０−１０ｍから２．５×１０−１５ｍまでの軌道を回転していた光子は放出します。
例えば太陽の中、１５００万度の場の電子の軌道は１０−１０ｍ÷（１５００００００÷２５）≒１．６７×１０−１６ｍ　１．６７×１０−１６ｍです。
それで、電子のラブの周囲１．６７×１０−１６ｍまでの光子は放出します。
又、陽子のラブの周囲、１．６７×１０−１６ｍ÷１８７７≒８．９×１０−２０ｍ　８．９×１０−２０ｍまでの光子は放出します。
【図４】
７、　各々の元素ができた場の軌道とエネルギーはどのようであるか。
５−１元素ができる場のエネルギー密度はどのようになっているか。
巨大星の中で元素はできます。巨大星の中央の場程エネルギー密度は高くなります。外側は水素です。水素のエネルギー密度を１とします。原子量１．００７９４で１です。巨大星の外側は１。中央になるに従ってエネルギー密度を増した。元素のエネルギー密度は原子量÷１．００７９４です。
Ｈｅのエネルギー密度は４．００２６÷１．００７９４≒３．９７。Ｌｉは６．９４１÷１．００７９４≒６．８９。
Ｃは１２．０１１÷１．００７９４≒１１．９です。Ｕは２３８．０２８９÷１．００７９４≒２３６です。
５−２どの軌道でＨｅはできるか。
電子ニュートリノのできる場（軌道）でＨｅはできる。
５−３元素ができる軌道とエネルギー密度の関係。
Ｈｅはエネルギー密度が４．００２６÷１．００７９４＝３．９７≒４で、この軌道で電子ニュートリノが発生する。Ｈｅができる軌道は１．３５×１０−２３ｍである。
エネルギー密度が４の軌道は１．３５×１０−２３ｍである。
即ち、エネルギー濃度がＡである軌道は４÷Ａ×１．３５×１０−２３ｍ＝５．４÷Ａ×１０−２３ｍです。Ａ＝原子量÷１．００７９４　ですから、５．４÷（原子量÷１．００７９４）×１０−２３ｍ＝５．４４２８７÷原子量×１０−２３ｍです。
原子量がＢである元素ができた軌道は５．４４２８７÷Ｂ×１０−２３ｍです。この軌道のエネルギーは１．１×１０−４１Ｊ÷（５．４４２８７÷Ｂ×１０−２３ｍ）＝２．０２１×Ｂ×１０−１９Ｊです。
８、　元素ができる軌道において、どれだけの光子が付加されたか。
８−１元素ができた軌道において、電子に付加する光子のエネルギーと陽子に付加する光子のエネルギーはどれだけか。
元素ができる軌道は電子ニュートリノから算出したので、この軌道は電子の軌道である。
陽子のエネルギーは電子のエネルギーの（９３８＋０．５）÷０．５＝１８７７倍であり、軌道は１８７７分の１である。
電子に付加した光子の数をＣとする。そして、陽子に付加した光子の数を電子に付加した数の３倍とする。
電子のエネルギー＝電子のラブのエネルギー＋元素ができる軌道で電子に付加した光子のエネルギー×Ｃ
陽子のエネルギー（＝中性子のエネルギー）＝陽子のラブのエネルギー＋陽子に付加した光子のエネルギー×３Ｃ＝陽子のラブのエネルギー＋電子に付加した光子のエネルギー×１８７７×３Ｃ
電子のエネルギー＋陽子のエネルギー＋中性子のエネルギー＝電子のラブのエネルギー＋元素ができる軌道で電子に付加した光子のエネルギー×Ｃ＋２×（陽子のラブのエネルギー＋陽子に付加した光子のエネルギー×３×Ｃ）＝８×１０−１４Ｊ＋２×１．５×１０−１０Ｊ＋元素ができた軌道のエネルギー×Ｃ＋２×元素ができた軌道のエネルギー×１８７７×３×Ｃ＝３０００．８×１０−１３Ｊ＋元素ができた軌道のエネルギー×１１２６３×Ｃ＝３０００．８×１０−１３Ｊ＋２．０２１×Ｂ×１０−１９Ｊ×１１２６３×Ｃ＝３０００．８×１０−１３Ｊ＋２２７６２．５２３×Ｂ×１０−１９Ｊ×Ｃ
８−２原子量１は何Ｊか。
水素は１電子１陽子であり原子量は１．００７９４です。これは何Ｊか。
０．５ＭｅＶ＋９３８ＭｅＶ＝９３８．５×１．６×１０−１３Ｊ＝１５０１．６×１０−１３Ｊ
水素は原子量が１．００７９４で１５０１．６×１０−１５Ｊですから、原子量１は１５０１．６×１０−１３Ｊ÷１．００７９４＝１４８９．７７×１０−１３Ｊ　です。
電子のエネルギー＋陽子のエネルギー＋中性子のエネルギー＝原子量×１４８９．７７×１０−１３Ｊ÷原子番号＝３０００．８×１０−１３Ｊ＋２２７６２．５２３×Ｂ×１０−１９Ｊ×Ｃ
Ｃ＝（原子量×１４８９．７７×１０−１３Ｊ÷原子番号−３０００．８×１０−１３Ｊ）÷（２２７６２．５２３×Ｂ×１０Ｊ−１９）
電子の数＝（原子量×１４８９．７７×１０−１３Ｊ÷原子番号−３０００．８×１０−１３Ｊ）÷（０．０２２７６２５２３×原子量×１０−１３Ｊ）
まお、確かめ算は、原子量×１４８９．７７×１０−１３Ｊ＝原子番号×（２×陽子に付加した光子の総エネルギー＋電子に付加した光子の総エネルギー＋３０００．３×１０−１３Ｊ）でできる。
上記の式から各元素の電子と陽子に付加した光子の数と付加したエネルギーと、電子、陽子のエネルギーを記す。
2004032981.tif 000003
2004032981.tif 000004
2004032981.tif 000005
2004032981.tif 000006
2004032981.tif 000007
2004032981.tif 000008
2004032981.tif 000009
９、８で得たデーターからどのような事が理解でこるか。
１．　付加した光子の数はほとんど同じである。
２．　付加した光子の総エネルギーは巨大星の中ほど多くなっている。
３．　原子番号の大きい元素ほど付加した光子のエネルギーは大きい。
４．　これらの元素ができる軌道で付加した光子がラブの周囲を回転して電磁力を作っている。
５．　元素ができる軌道において、減少した光子はニュートリノとなる。
電子から減少した光子は電子ニュートリノである。
陽子から減少した光子は陽子ニュートリノ（本発明者が付けた名前）である。即ち、Ｈｅの場合、Ｈｅができた軌道で、電子から１．３６×１０−２３ｍの光子が２１２個減少した。この減少した光子が電子ニュートリノである。電子ニュートリノは２１２個できた。
陽子から７．２４×１０−２７ｍの軌道の光子が６３６個減少した。この減少した光子が陽子ニュートリノである。陽子ニュートリノは６３６個できた。
６．　ＬｉとＢｅに付加した光子エネルギーが多いのはＨｅができた時発生した光子が付加したからです。
７．　ＴｈとＵが放射性元素であるのは元素ができた時、多量の光子を付加したので、付加した光子を放散している。
８．　各元素の電子の質量エネルギーは異なる。
９．　各元素の陽子と中性子の質量エネルギーは異なる。
１０、電子の構造はどのようになっているか。
電子の構造は中央にラブ、次に元素ができた軌道で付加した光子が回転し、次に連続Ｘ線が回転し、連続Ｘ線の範囲内で特性Ｘ線が回転している。一例として鉄のＭ殻を回転している電子を図示する。
【図６】
１１、陽子の構造はどのように成っているか。
陽子の構造は中央にラブ、次に元素ができた陽子の軌道で付加した光子が回転し、その周囲を更に光子が回転している。一例として鉄の陽子を図示する。
【図７】
【０００６】
【発明の効果】
この発明によって、電子、陽子、中性子は、元素ができた軌道の光子を付加したことを理解できた。ラブのエネルギーは一定であるが、付加した光子量によって、原子量はまちまちである。ＬｉとＢｅの電子、陽子、中性子のエネルギーが高いのはＨｅができた時発生した光子が多量に付加したためであると理解できた。Ｔｈ、Ｕが放射性元素であるのは余りに多量の光子が付加したため、その光子を徐々に放出しているのであると理解できた。電子のラブは自転しかつ公転し、ラブの周囲にたくさんの光子が付加し回転しているので、電磁力ができると理解できた。陽子のラブは自転し、かつ公転し、ラブの周囲にたくさんの光子が付加し回転しているので、電磁力ができると理解できた。各々の元素の電子のエネルギーは異なる事が理解できた。各々の元素の陽子のエネルギー、中性子のエネルギーは異なる事が理解できた。
【図面の簡単な説明】
【図１】ラブは鉄芯、光子はコイルを流れる電子のように回転し電磁力ができる。
【図２】ラブの軌道は原子核の２分の１で、陽子のラブと中性子のラブは交互に並んで公転している。
【図３】電子ニュートリノが発生するメカニズム。
【図４】太陽の中で光子が発生するメカニズム。
【図５】エネルギー密度と元素ができた軌道と付加（減少）した光子の数。
Ｈｅの場合と鉄の場合。
【図６】鉄の電子の構造。
【図７】鉄の陽子の構造
【符号の説明】
１　ラブ　　２　ラブの軌道　　３　光子　　４　陽子のラブ
５　中性子のラブ　　６　原子核　　７　電子のラブ
８　電子ニュートリノの軌道　９　電子ニュートリノより小さな軌道
１０　電子
１１　Ｈｅの電子ができた軌道　　１２　Ｈｅの陽子ができた軌道
１３　鉄の電子ができた軌道　　１４　鉄の陽子ができた軌道
１５　連続Ｘ線　　１６　特性Ｘ線Ｋβ　　１７　特性Ｘ線Ｋα２
１８　特性Ｘ線Ｋα１　　１９　陽子のラブの周囲の光子
【図１】
2004032981.tif 000010
【図２】
2004032981.tif 000011
【図３】
2004032981.tif 000012
【図４】
2004032981.tif 000013
【図５】
2004032981.tif 000014
【図６】
2004032981.tif 000015
【図７】
2004032981.tif 000016